(57)【要約】【課題】天ぷら用保形容器内に玉葱、人参、牛蒡、海老等の具材に小麦粉、卵、水等の天ぷら衣や調味料をまぶしてなる天ぷら種を収納し、天ぷら用保形容器に天ぷら種を収納したままで鍋内の天ぷら油に落とし、所定時間が経過すると、天ぷら用保形容器から揚がった天ぷら種が剥がれ、天ぷらが出来上がることになり、箸等でばらばらにならないように押さえてやる必要がなく、薄い衣を溶いたものでも、予め天ぷら用保形容器に具材を詰めて必要なだけ複数個用意しておき、順次揚げることにより、効率的に、形状の揃ったきれいな形状の天ぷらを作ることができる。【解決手段】少なくとも耐油性及び離型性を備えたシート材１からなり、シート材を玉葱、人参、牛蒡、海老等の具材に小麦粉、卵、水等の天ぷら衣や調味料をまぶしてなる天ぷら種Ｗを所定形状に保形収納可能に成形してなる。【選択図】図１
2006223825.tif 000002
【特許請求の範囲】
【請求項１】
少なくとも耐油性及び離型性を備えたシート材からなり、上記シート材を玉葱、人参、牛蒡、海老等の具材に小麦粉、卵、水等の天ぷら衣や調味料をまぶしてなる天ぷら種を所定形状に保形収納可能に成形してなることを特徴とする天ぷら用保形容器。
【請求項２】
上記天ぷら種を保形収納可能なシート材に天ぷら油が通過可能な油通過部を形成してなることを特徴とする請求項１記載の天ぷら用保形容器。
【請求項３】
上記シート材は、グラシン紙の少なくとも上記天ぷら種が接触する面にシリコン樹脂をコーテイングしてなるシートであることを特徴とする請求項１又は２記載の天ぷら用保形容器。
【請求項４】
上記油通過部は天ぷら油が通過可能な通過穴であることを特徴とする請求項２記載の天ぷら用保形容器。
【請求項５】
上記油通過部は天ぷら油が通過可能な通過スリットであることを特徴とする請求項２記載の天ぷら用保形容器。
【発明の詳細な説明】
【技術分野】
【０００１】
本発明は例えば、かきあげ天ぷらを調理する際に用いられる天ぷら用保形容器に関するものである。
【背景技術】
【０００２】
従来、例えば、かきあげ天ぷらは、切截した玉葱、人参、牛蒡、海老等の具材に小麦粉、卵、水等の天ぷら衣や調味料をまぶして例えば玉杓子でかきまとめて天ぷら種を作り、この天ぷら種を鍋の縁から天ぷら油に落とし、ばらばらにならないように箸で押さえたりしながら揚げ、さっくり揚がったら、箸等で取り上げることによりかきあげを作るようにしている。
【特許文献１】特許第３０１７１９９号
【発明の開示】
【発明が解決しようとする課題】
【０００３】
しかしながらこの従来の調理方法では、天ぷら種がまとまり易いように天ぷら衣を濃くすると、ぼってりして油を余分に吸って重くなり、逆に、衣を薄くするとまとまり難く、箸等でしばらく押さえていたり、かき揚げながら揚げる必要があり、煩わしくて手間が掛かり、形状も大きさ、形が揃いにくく、きれいに揚げるには熟練を要し、特に、葉物のかきあげは、揚げ過ぎやこげてしまうことがあり、グリーンピースやコーンなどの豆類やみじん切りした野菜などは、スプーンなどの補助具を使わないと揚げにくいことがあるという不都合を有している。
【課題を解決するための手段】
【０００４】
本発明はこれらの不都合を解決することを目的とするもので、本発明のうちで、請求項１記載の発明は、少なくとも耐油性及び離型性を備えたシート材からなり、上記シート材を玉葱、人参、牛蒡、海老等の具材に小麦粉、卵、水等の天ぷら衣や調味料をまぶしてなる天ぷら種を所定形状に保形収納可能に成形してなることを特徴とする天ぷら用保形容器にある。
【０００５】
又、請求項２記載の発明は、上記天ぷら種を保形収納可能なシート材に天ぷら油が通過可能な油通過部を形成してなることを特徴とするものである。
【０００６】
又、請求項３記載の発明は、上記シート材は、グラシン紙の少なくとも上記天ぷら種が接触する面にシリコン樹脂をコーテイングしてなるシートであることを特徴とするものであり、又、請求項４記載の発明は、上記油通過部は天ぷら油が通過可能な通過穴であることを特徴とするものであり、又、請求項５記載の発明は、上記油通過部は天ぷら油が通過可能な通過スリットであることを特徴とするものである。
【発明の効果】
【０００７】
本発明は上述の如く、請求項１記載の発明にあっては、天ぷら用保形容器内に玉葱、人参、牛蒡、海老等の具材に小麦粉、卵、水等の天ぷら衣や調味料をまぶしてなる天ぷら種を収納し、天ぷら用保形容器に天ぷら種を収納したままで鍋内の天ぷら油に落とし、所定時間が経過すると、天ぷら用保形容器から揚がった天ぷら種が剥がれ、天ぷらが出来上がることになり、したがって、天ぷら用保形容器に天ぷら種を収納したままで揚げることから、箸等でばらばらにならないように押さえてやる必要がなく、薄い衣を溶いたものでも、予め天ぷら用保形容器に具材を詰めて必要なだけ複数個容易しておき、順次揚げることにより、効率的に、形状の揃ったきれいな形状の天ぷらを作ることができ、かつ、具材をまとめるために必要な天ぷら衣の量を少なくすることができ、ひいては、含油量を抑えることもでき、衣の少ないからっとした美味しい天ぷらを揚げることができ、スプーンなどの補助具を使わないと薄い衣では揚げられなかったコーンや豆類、みじん切り野菜なども、家庭において、簡単に天ぷらを作ることができる。
【０００８】
又、請求項２記載の発明にあっては、上記天ぷら種を保形収納可能なシート材に天ぷら油が通過可能な油通過部を形成してなるから、油通過部の存在により天ぷら油を天ぷら種の上に掬って掛けたりしなくてもの天ぷら油は天ぷら種に円滑に取り込まれ、それだけ、早く揚げることができ、油分の少ないカラッとした天ぷらを作ることができると共にシート材からの天ぷらの離型性を高めることができる。
【０００９】
又、請求項３記載の発明にあっては、上記シート材は、グラシン紙の少なくとも上記天ぷら種が接触する面にシリコン樹脂をコーテイングしてなるシートであるから、少なくとも耐油性及び離型性を備えた優れた天ぷら用保形容器を容易に製作することができ、又、請求項４記載の発明にあっては、油通過部は天ぷら油が通過可能な通過穴であるから、製作を容易に行うことができ、又、請求項５記載の発明にあっては、記油通過部は天ぷら油が通過可能な通過スリットであるから、天ぷら用保形容器の製作を容易に行うとができる。
【発明を実施するための最良の形態】
【００１０】
図１乃至図５は本発明の実施の形態例を示し、図１、図２は第一形態例、図３は第二形態例、図４は第三形態例、図５は第四形態例、図６は第５形態例、図７は第六形態例、図８は第七形態例、図９は第八形態例、図１０は第九形態例である。
【００１１】
図１、図２の第一形態例において、１はシート材であって、少なくとも耐油性及び離型性を備えており、この場合、グラシン紙の天ぷら種Ｗが接触する面に離型性をもつシリコン樹脂をコーテイングしてなるシートが用いられている。
【００１２】
このシート材１は、プレス加工、折曲加工、その他の保形加工により玉葱、人参、牛蒡、海老等の具材に小麦粉、卵、水等の天ぷら衣や調味料をまぶしてなる天ぷら種Ｗを所定形状に保形収納可能に成形して天ぷら用保形容器Ｍを製作している。
【００１３】
この場合、この天ぷら用保形容器Ｍは、底板１ａ、側板１ｂ及び鍔板１ｃからなる円形容器状に成形されている。
【００１４】
この実施の第一形態例は上記構成であるから、天ぷら用保形容器Ｍ内に玉葱、人参、牛蒡、海老等の具材に小麦粉、卵、水等の天ぷら衣や調味料をまぶしてなる天ぷら種Ｗを収納し、天ぷら用保形容器Ｍに天ぷら種Ｗを収納したままで鍋Ｈ内の油Ｌに落とし、所定時間が経過すると、天ぷら用保形容器Ｍから揚がった天ぷら種Ｗが剥がれ、天ぷらが出来上がることになる。
【００１５】
したがって、天ぷら用保形容器Ｍに天ぷら種Ｗを収納したままで揚げることから、箸等でばらばらにならないように押さえてやる必要がなく、薄い衣を溶いたものでも、予め天ぷら用保形容器Ｍに具材を詰めて必要なだけ複数個容易しておき、順次揚げることにより、効率的に、形状の揃ったきれいな形状の天ぷらを作ることができ、かつ、具材をまとめるために必要な天ぷら衣の量を少なくすることができ、ひいては、含油量を抑えることもでき、衣の少ないからっとした美味しい天ぷらを揚げることができ、スプーンなどの補助具を使わないと薄い衣では揚げられなかったコーンや豆類、みじん切り野菜なども、家庭において、簡単にかき揚げ天ぷらを作ることができる。
【００１６】
この場合、上記シート材１は、グラシン紙の少なくとも上記天ぷら種が接触する面にシリコン樹脂をコーテイングしてなるシートであるから、少なくとも耐油性及び離型性を備えた優れた天ぷら用保形容器Ｍを容易に製作することができる。
【００１７】
図３の第二形態例は別例構造を示し、この場合、上記第一形態例と同様に形成され、この天ぷら用保形容器Ｍの形状は、底板１ａ及び蛇腹状の側板１ｂからなる円形容器状に成形されている。
【００１８】
図４の第三形態例は別例構造を示し、この場合、上記第一形態例と同様に形成され、この天ぷら用保形容器Ｍの形状は、底板１ａ、側板１ｂ及び鍔板１ｃからなる四角容器状に成形されている。
【００１９】
図５の第四形態例は別例構造を示し、この場合、上記第一形態例と同様に形成され、この天ぷら用保形容器Ｍの形状は、底板１ａ及び側板１ｂからなる四角容器状に成形されている。
【００２０】
これらの実施の第二、三、四形態例についても、上記第一形態例と同様な作用効果を得ることができる。
【００２１】
図６の第五形態例は別例構造を示し、この場合、シート材１からなる天ぷら用保形容器Ｍの形状は、底板１ａ及び側板１ｂからなる円形容器状に成形され、この天ぷら種Ｗを保形収納可能なシート材１に天ぷら油Ｌが通過可能な油通過部２を形成している。
【００２２】
この場合、油通過部２として、天ぷら用保形容器Ｍの側板１ｂに天ぷら油Ｌが通過可能な複数個の通過穴２ａ・・を形成している。
【００２３】
この第五形態例にあっては、上記第一形態例と同様な作用効果を得ることができ、かつ、油通過部２の存在により天ぷら油Ｌを天ぷら種Ｗの上に掬って掛けたりしなくてもの天ぷら油は天ぷら種Ｗに円滑に取り込まれ、それだけ、早く揚げることができ、油分の少ないカラッとした天ぷらを作ることができると共にシート材１からの天ぷらの離型性を高めることができる。
【００２４】
又、この場合、油通過部２は天ぷら油Ｌが通過可能な通過穴２ａからなるので、製作を容易に行うことができる。
【００２５】
図７の第六形態例は別例構造を示し、この場合、天ぷら用保形容器Ｍの底板１ａ及び側板１ｂの全範囲に亘って、油通過部２として、天ぷら油Ｌが通過可能な複数個の小さな通過穴２ｂ・・を形成している。
【００２６】
この第六形態例にあっては、上記第五形態例と同様な作用効果を得ることができ、かつ、この場合、油通過部２は天ぷら油Ｌが通過可能な複数個の小さな通過穴２ｂからなるので、天ぷら油を天ぷら種Ｗに円滑に取り込むことができる。
【００２７】
図８の第七形態例は別例構造を示し、この場合、天ぷら用保形容器Ｍの底板１ａに、油通過部２として、天ぷら油Ｌが通過可能な複数個の通過穴２ｃ・・を形成している。
【００２８】
この第七形態例にあっては、上記第五形態例と同様な作用効果を得ることができる。
【００２９】
図９の第八形態例は別例構造を示し、この場合、天ぷら用保形容器Ｍの底板１ａと側板１ｂとの角部に、油通過部２として、天ぷら油Ｌが通過可能な複数個の四角穴状の通過穴２ｄ・２ｄを形成している。
【００３０】
この第八形態例にあっては、上記第五形態例と同様な作用効果を得ることができる。
【００３１】
図１０の第九形態例は別例構造を示し、この場合、天ぷら用保形容器Ｍの側板１ｂに、油通過部２として、天ぷら油Ｌが通過可能な複数個の通過スリット２ｅ・２ｅを形成している。
【００３２】
この第九形態例にあっては、上記第五形態例と同様な作用効果を得ることができ、かつ、油通過部２は天ぷら油Ｌが通過可能な通過スリット２ｅ・２ｅであるから、天ぷら用保形容器Ｍの製作を容易に行うとができる。
【００３３】
尚、本発明は上記実施の形態例に限られるものではなく、シート材１として、グラシン紙、その他の基材にシリコン樹脂、フロン等の離型材をコーテイング、含浸、塗布、浸漬、ラミネート加工、共押出加工してなる構造のもの、紙にポリブチルテレフタレート樹脂をコーティングしてなるものを用いることもあり、又、シート材１の形状は、天ぷらの形状、シート成形加工に応じて適宜変更して設計されるものである。
【００３４】
以上、所期の目的を充分達成することができる。
【図面の簡単な説明】
【００３５】
【図１】本発明の実施の第一形態例の全体斜視図である。
【図２】本発明の実施の第一形態例の使用状態図である。
【図３】本発明の実施の第二形態例の全体斜視図である。
【図４】本発明の実施の第三形態例の全体斜視図である。
【図５】本発明の実施の第四形態例の全体斜視図である。
【図６】本発明の実施の第五形態例の全体斜視図である。
【図７】本発明の実施の第六形態例の使用状態図である。
【図８】本発明の実施の第七形態例の全体斜視図である。
【図９】本発明の実施の第八形態例の全体斜視図である。
【図１０】本発明の実施の第九形態例の全体斜視図である。
【符号の説明】
【００３６】
Ｗ    天ぷら種
Ｍ    天ぷら用保形容器
１    シート材
１ａ    底板
１ｂ    側板
１ｃ    鍔板
２    油通過部
２ａ    通過穴
２ｂ    通過穴
２ｃ    通過穴
２ｄ    通過穴
２ｅ    通過スリット
【図１】
2006223825.tif 000003
【図２】
2006223825.tif 000004
【図３】
2006223825.tif 000005
【図４】
2006223825.tif 000006
【図５】
2006223825.tif 000007
【図６】
2006223825.tif 000008
【図７】
2006223825.tif 000009
【図８】
2006223825.tif 000010
【図９】
2006223825.tif 000011
【図１０】
2006223825.tif 000012
【手続補正書】
【提出日】平成17年5月10日(2005.5.10)
【手続補正１】
【補正対象書類名】明細書
【補正対象項目名】０００７
【補正方法】変更
【補正の内容】
【０００７】
本発明は上述の如く、請求項１記載の発明にあっては、天ぷら用保形容器内に玉葱、人参、牛蒡、海老等の具材に小麦粉、卵、水等の天ぷら衣や調味料をまぶしてなる天ぷら種を収納し、天ぷら用保形容器に天ぷら種を収納したままで鍋内の天ぷら油に落とし、所定時間が経過すると、天ぷら用保形容器から揚がった天ぷら種が剥がれ、天ぷらが出来上がることになり、したがって、天ぷら用保形容器に天ぷら種を収納したままで揚げることから、箸等でばらばらにならないように押さえてやる必要がなく、薄い衣を溶いたものでも、予め天ぷら用保形容器に具材を詰めて必要なだけ複数個用意しておき、順次揚げることにより、効率的に、形状の揃ったきれいな形状の天ぷらを作ることができ、かつ、具材をまとめるために必要な天ぷら衣の量を少なくすることができ、ひいては、含油量を抑えることもでき、衣の少ないからっとした美味しい天ぷらを揚げることができ、スプーンなどの補助具を使わないと薄い衣では揚げられなかったコーンや豆類、みじん切り野菜なども、家庭において、簡単に天ぷらを作ることができる。
【手続補正２】
【補正対象書類名】明細書
【補正対象項目名】００１５
【補正方法】変更
【補正の内容】
【００１５】
したがって、天ぷら用保形容器Ｍに天ぷら種Ｗを収納したままで揚げることから、箸等でばらばらにならないように押さえてやる必要がなく、薄い衣を溶いたものでも、予め天ぷら用保形容器Ｍに具材を詰めて必要なだけ複数個用意しておき、順次揚げることにより、効率的に、形状の揃ったきれいな形状の天ぷらを作ることができ、かつ、具材をまとめるために必要な天ぷら衣の量を少なくすることができ、ひいては、含油量を抑えることもでき、衣の少ないからっとした美味しい天ぷらを揚げることができ、スプーンなどの補助具を使わないと薄い衣では揚げられなかったコーンや豆類、みじん切り野菜なども、家庭において、簡単にかき揚げ天ぷらを作ることができる。